(57)【要約】【課題】  集水ます本体の上部開口への集水ます蓋の取付け作業において、ずれを防ぎ、スムーズな差込みを可能にする新しい集水ます蓋を提供することを課題としている。【解決手段】  集水ます本体２の内壁２１に当接する差込み部１１を有し、集水ます本体２の上部開口２２に取付けされる集水ます蓋１であって、差込み部１１は、縦方向長さが背面側に向かって長いことを特徴とする。【選択図】図１
2008231795.tif 000002
【特許請求の範囲】
【請求項１】
集水ます本体の内壁に当接する差込み部を有し、集水ます本体の上部開口に取付けされる集水ます蓋であって、差込み部は、縦方向長さが背面側に向かって長いことを特徴とする集水ます蓋。
【請求項２】
差込み部は、集水ます本体の内壁に当接する当接部位を有するとともに、当接部位の下に、集水ます本体の内壁の傾斜よりも内側に向かって傾斜している差込みガイド部位を連設して有していることを特徴とする請求項１記載の集水ます蓋。
【発明の詳細な説明】
【技術分野】
【０００１】
本発明は、集水ます本体の内壁に当接する差込み部を有し、集水ます本体の上部開口に取付けされる集水ます蓋に関するものである。
【背景技術】
【０００２】
従来の集水ます蓋４は、例えば図４、図５のように、集水ます本体２の内壁２１に当接する差込み部４１を有し、集水ます本体２の上部開口２２に取付けされるものである。差込み部４１は、差込まれた状態では、集水ます本体２の内壁２１に当接しており、つまり、集水ます本体２の内壁２１と同じ傾斜を有している。また、差込み部４１の縦方向長さ（高さ）は、全て同じ長さで横方向全長にわたって形成されている（例えば、特許文献１）。ここで、集水ます蓋４の大きさにもよるが、例えば、一般的な一辺が１０ｃｍ程度の角ますであれば、集水ます蓋４の差込み部４１の高さは、５ｍｍを超えて長くなるとそれだけ取外し作業が困難になってしまうため、５ｍｍ程度の短めの長さである必要があった。
【０００３】
しかしながら、差込み部４１の縦方向長さが全て同じで短めに形成されている従来の集水ます蓋４は、取付け作業において、集水ます蓋４が集水ます本体２にずれて嵌まってしまったり、スムーズに差込みにくいという問題点があった。
【特許文献１】実開平６−８７５３４
【発明の開示】
【発明が解決しようとする課題】
【０００４】
本発明は、以上の通りの事情に鑑みてなされたものであり、集水ます本体の上部開口への集水ます蓋の取付け作業において、ずれを防ぎ、スムーズな差込みを可能にする新しい集水ます蓋を提供することを課題としている。
【課題を解決するための手段】
【０００５】
本発明は、上記の課題を解決するために、第１には、集水ます本体の内壁に当接する差込み部を有し、集水ます本体の上部開口に取付けされる集水ます蓋であって、差込み部は、縦方向長さが背面側に向かって長いことを特徴としている。
【０００６】
第２には、差込み部は、集水ます本体の内壁に当接する当接部位を有するとともに、当接部位の下に、集水ます本体の内壁の傾斜よりも内側に向かって傾斜している差込みガイド部位を連設して有していることを特徴としている。
【発明の効果】
【０００７】
上記第１の発明によれば、差込み部は、縦方向長さが背面側（集水ます本体の建築躯体取付け面側）に向かって長いため、取付け作業において、差込み部の縦方向長さが長い（面積の広い）背面側から挿入すれば、スムーズな差込みが実現されるとともにずれを防止することができる。
【０００８】
ただし、差込み部の前面側（背面側の逆側）の縦方向長さは、従来のガイド部同様に短めであることは言うまでもない。このため、取外し作業の際には、まず差込み部の前面側から取外し、その後差込み部の背面側を取外せば、差込み部の縦方向長さが背面側に向かって長くなっていても容易に取外すことができる。
【０００９】
また、上記第２の発明によれば、差込み部は、集水ます本体の内壁に当接する当接部位を有することは従来同様であるが、当接部位とともに、さらに当接部位の下に、集水ます本体の内壁の傾斜よりも内側に向かって傾斜している差込みガイド部位が連設して形成されているため、差込みをさらにスムーズにすることができる。
【発明を実施するための最良の形態】
【００１０】
以下、本発明の集水ます蓋について詳しく説明する。
【００１１】
図１は、本発明の集水ます蓋の一実施形態の後方斜視図（ａ）、側面図（ｂ）である。
【００１２】
図２は、図１の集水ます蓋と、取付けられる集水ます本体の後方斜視図である。
【００１３】
図３は、図１、図２の集水ます蓋の、集水ます本体への取付け作業を示す側面図である。
【００１４】
なお、本発明における方向の定義としては、集水ます蓋および集水ます本体から見て建築躯体側を背面側あるいは後方、その逆を前面側あるいは前方としている。
【００１５】
本発明の集水ます蓋１は、例えば図１、２のようなものであって、図４の従来の集水ます蓋４と類似する構成としては、集水ます本体２の内壁２１に当接する差込み部１１を有し、集水ます本体２の上部開口２２に取付けされるものであり、本発明の特徴としては、差込み部１１は、縦方向長さが背面側に向かって長いことである。
【００１６】
本発明の集水ます蓋１は、このような特徴を有することによって、例えば、図３のように、建築躯体３に取付けられている集水ます本体２に対して取付ける際、差込み部１１を、長くなっている背面側（建築躯体側）が下がるようにして集水ます本体２に差込むことによって、従来の集水ます蓋４の差込み部４１よりも面積が広い本発明の集水ます蓋１の差込み部１１では、挿入がスムーズかつ容易になり、縦方向長さが確保されることによって、差込み時の左右の水平方向の角度ずれが減少する。
【００１７】
さらに上記の作用効果を顕著なものとするために、図１〜３のように、差込み部４１は、集水ます本体２の内壁２１に当接する当接部位１２を有するとともに、当接部位１２の下に、集水ます本体２の内壁２１の傾斜よりも内側に向かって傾斜している差込みガイド部位１３を連設して有していることも有効である。取付け作業において、集水ます本体２の内壁２１の傾斜よりも内側に向かって傾斜している差込みガイド部位１３によって、完全に集水ます本体２の内壁２１に横位置を合わせる必要がなく、差込みガイド部位１３の傾斜によって誘導してスムーズかつ容易に差込むことができる。
【００１８】
以上のような本発明によって、集水ます本体の上部開口への集水ます蓋の取付け作業において、ずれを防ぎ、スムーズな差込みが可能となるが、細部については様々な態様が可能であることは言うまでもない。
【図面の簡単な説明】
【００１９】
【図１】本発明の集水ます蓋の一実施形態の後方斜視図（ａ）と、側面図（ｂ）である。
【図２】図１の本発明の集水ます蓋と、取付けられる集水ます本体の後方斜視図である。
【図３】図１、図２の本発明の集水ます蓋の、集水ます本体への取付け作業を示す側面図である。
【図４】従来の集水ます蓋の後方斜視図（ａ）と側面図（ｂ）である。
【図５】図４の従来の集水ます蓋と、取付けられる集水ます本体の後方斜視図である。
【符号の説明】
【００２０】
１  集水ます蓋
１１  差込み部
１２  当接部位
１３  差込みガイド部位
２  集水ます本体
２１  内壁
２２  上部開口
３  建築躯体
４  従来の集水ます蓋
４１  差込み部
【図３】
2008231795.tif 000003
【図１】
2008231795.tif 000004
【図２】
2008231795.tif 000005
【図４】
2008231795.tif 000006
【図５】
2008231795.tif 000007